(57)【要約】      （修正有）【課題】土嚢の代用品として、簡単に数十個の運搬が可能で、且つ、現場において短時間で使用可能な吸水性化学変化型土嚢を提供する。【解決手段】所定量の吸水ポリマーを内蔵した透水性袋と透水性袋と同等大の外袋４で構成され、且つ、該代用型土嚢は所定量の吸水ポリマーを内径及び深さが所定寸法を有する透水性袋中に入れた後、最小限の大きさに折り畳んだ縮小型ポリマー内蔵袋３を設け、且つ、土嚢使用時には、縮小型ポリマー内蔵袋を外袋中に入れて、クレーン等の移動手段を使用して縮小型ポリマー内蔵袋の入った外袋を河川等の水に侵水させる、或いは予め設置した縮小型ポリマー内蔵袋の入った外袋中に河川等の水を注水する事で吸水ポリマーが透水性袋大に膨張し、固体化するものである。【選択図】図３
0003108515.tif 000002
【実用新案登録請求の範囲】
【請求項１】
河川工事や水害対策等に使用する代用型土嚢であって、該代用型土嚢は所定量の吸水ポリマー（２）を内蔵した透水性袋（１）と透水性袋と同等大の外袋（４）で構成され、且つ、該代用型土嚢は所定量の吸水ポリマー（２）を内径（Ｄ）及び深さ（Ｈ）が所定寸法を有する透水性袋（１）中に入れた後、最小限の大きさに折り畳んだ縮小型ポリマー内蔵袋（３）を設け、且つ、土嚢使用時には、縮小型ポリマー内蔵袋（３）を外袋（４）中に入れて、クレーン等の移動手段（Ｃ）を使用して縮小型ポリマー内蔵袋（３）の入った外袋（４）を河川等の水に侵水させる、或いは予め設置した縮小型ポリマー内蔵袋（３）の入った外袋（４）中に河川等の水を注水する事で吸水ポリマー（２）が透水性袋（１）大に膨張し、固体化する事を特徴とする吸水性化学変化型土嚢。
【考案の詳細な説明】
【技術分野】
【０００１】
この考案は、土の代用品として短時間で使用可能な吸水性化学変化型土嚢に関するものである。
【背景技術】
【０００２】
これまで河川の工事等で使用される１トンタイプの土嚢は、土を入れる通常の土嚢しかなかった。これは、運搬にコストと時間が掛かり、又、積み降ろしの際にはクレーン等が必要となる。従って、一度に数個しか運搬することが出来ない。
【０００３】
又、従来、吸水する事で使用出来る土嚢は数種類あるが、どれも吸水後の重量が２０〜２５ｋｇ程度と軽く、河川の工事現場等の大規模工事現場では使用出来なかった。又、従来の吸水性土嚢は、製品によっては、袋の中の吸水性ポリマーが袋の破損等により流出する等の問題があった。
【０００４】
そこで、これまでに出願されている土嚢に関する特許文献を参考の為に紹介する。（特許文献１〜３参照。）
【特許文献１】特開２００３−０５５６５９
【特許文献２】特開２００３−２０１７０９
【特許文献３】特開２００４−１９７４１８
【考案の開示】
【考案が解決しようとする課題】
【０００５】
そこで、上記課題を解決する為に、この考案は、土嚢の代用品として、簡単に数十個の運搬が可能で、且つ、現場において短時間で使用可能な吸水性化学変化型土嚢を開発・提供する事にある。
【課題を解決するための手段】
【０００６】
この課題を解決する為の手段として、この考案は、所定量の吸水ポリマーを内蔵した透水性袋と透水性袋と同等大の外袋で構成され、且つ、該代用型土嚢は所定量の吸水ポリマーを内径及び深さが所定寸法を有する透水性袋中に入れた後、最小限の大きさに折り畳んだ縮小型ポリマー内蔵袋を設け、且つ、土嚢使用時には、縮小型ポリマー内蔵袋を外袋中に入れて、クレーン等の移動手段を使用して縮小型ポリマー内蔵袋の入った外袋を河川等の水に侵水させる、或いは予め設置した縮小型ポリマー内蔵袋の入った外袋中に河川等の水を注水する事で吸水ポリマーが透水性袋大に膨張し、固体化するものである。
【考案の効果】
【０００７】
この考案の効果として、所定量の吸水ポリマーを内径及び深さが所定寸法を有する透水性袋中に入れた後、最小限の大きさに折り畳んだ縮小型ポリマー内蔵袋を設け、且つ、土嚢使用時には、縮小型ポリマー内蔵袋を外袋中に入れて、クレーン等の移動手段を使用して縮小型ポリマー内蔵袋の入った外袋を河川等の水に侵水させる、或いは予め設置した縮小型ポリマー内蔵袋の入った外袋中に河川等の水を注水する事で吸水ポリマーが透水性袋大に膨張し、固体化する事で土嚢の代用品として使用出来る。
【０００８】
又、最小限の大きさに折り畳んだ縮小型ポリマー内蔵袋にする事で、小型軽量化による使用前の運搬が楽で、且つ、同時に数十個の袋を運搬する事が出来、現場使用時も短時間で使用する事が出来、又、袋が透水性袋と外袋の二重構造の為、破損等によるポリマー流出の心配が無い等極めて有益なる効果を奏するものである。
【考案を実施するための最良の形態】
【０００９】
この考案の最良の形態として、吸水ポリマーが膨張して固体化した時に、外袋とピッタリ・フィットさせる為に、透水性袋と外袋の大きさを統一し、且つ、吸水ポリマーを透水性袋の中に入れる分量を最適分量に調整し定量化する事が重要となる。
【実施例１】
【００１０】
そこで、この考案の一実施例を図１〜図２に基づいて詳述すると、河川工事や水害対策等に使用する代用型土嚢であって、該代用型土嚢は所定量の吸水ポリマー（２）を内蔵した透水性袋（１）と透水性袋と同等大の外袋（４）で構成され、且つ、該代用型土嚢は所定量の吸水ポリマー（２）を内径（Ｄ）及び深さ（Ｈ）が所定寸法を有する透水性袋（１）中に入れた後、最小限の大きさに折り畳んだ縮小型ポリマー内蔵袋（３）を設け、且つ、土嚢使用時には、縮小型ポリマー内蔵袋（３）を外袋（４）中に入れて、クレーン等の移動手段（Ｃ）を使用して縮小型ポリマー内蔵袋（３）の入った外袋（４）を河川等の水に侵水させる、或いは予め設置した縮小型ポリマー内蔵袋（３）の入った外袋（４）中に河川等の水を注水する事で吸水ポリマー（２）が透水性袋（１）大に膨張し、固体化する事を特徴とする吸水性化学変化型土嚢から構成される。
【００１１】
次に、この考案の吸水性化学変化型土嚢の製造方法について説明すると、図１（Ａ）に示す様に、１トン用土嚢の場合、直径が１００〜１２０ｃｍ、深さが８０〜１２０ｃｍの円筒状の綿袋等の透水性袋に吸水性ポリマーを入れる。
【００１２】
そして、吸水性ポリマーは、保管時の重量が５〜１０ｋｇであり、綿製袋等の透水性袋（１）に入れて折り畳むと、図１（Ｂ）に示す様に、非常にコンパクト化された透水性袋（１'）と吸水ポリマー（２）で構成する縮小型ポリマー内蔵袋（３）になる。従って、縮小型ポリマー内蔵袋（３）は、同時に数十個を誰でも楽に何処にでも運搬する事が出来る。
【００１３】
次に、この考案を護岸工事現場等で使用する場合、図２に示す様に、予め用意していた縮小型ポリマー内蔵袋（３）を市販品の外袋（４）の中に入れた後、図３に示す様に、クレーン等の移動手段（Ｃ）を使用して持ち上げ、河川等の水の中にゆっくりと浸していくと、吸水ポリマー（２）が膨張し、図４に示す様に、円柱状に固形化し、外袋にピッタリ・フィットする大きさに形成される。
【００１４】
又、前記外袋（４）は、通常土を入れるタイプの袋を使用する為、強度的にも問題なく使用出来る。
【産業上の利用可能性】
【００１５】
この考案の吸水性化学変化型土嚢は、土嚢の代用品として、簡単に誰でも数十個の運搬が可能で、且つ、現場において短時間で使用可能な為、土木建設市場に寄与する点で、産業上の利用可能性を有する。
【図面の簡単な説明】
【００１６】
【図１】この考案の一実施例を示し、（Ａ）は透水性袋中に吸水ポリマーを入れた時の斜視図で、（Ｂ）は吸水ポリマーの入った透水性袋を折り畳んだ時の斜視図である。
【図２】この考案の一実施例を示し、折り畳んだ吸水ポリマー入り透水性袋を外袋中に入れた時の斜視図である。
【図３】この考案の一実施例を示し、外袋中に入れた吸水ポリマー入り透水性袋を浸水時の斜視図である。
【図４】この考案の使用例を示し、固体化した吸水性化学変化型土嚢の斜視図である。
【符号の説明】
【００１７】
１  透水性袋
１’  コンパクト化された透水性袋
２  吸水ポリマー
２’  膨張固体化したポリマー
３  縮小型ポリマー内蔵袋
４  外袋
Ｃ  クレーン等の移動手段
Ｄ  内径寸法
Ｈ  深さ寸法
Ｗ  河川等の水
【図１】
0003108515.tif 000003
【図２】
0003108515.tif 000004
【図３】
0003108515.tif 000005
【図４】
0003108515.tif 000006